(57)【要約】      （修正有）【課題】箱体に図案などをプリントし易いスーツケースを提供する。【解決手段】二枚貝のように対向して開閉する二つの半箱体２０，２１を含んでなり、半箱体は、内部に形成された内部槽と該内部槽の密封された面であるパネル面３２とを含んでなる透光性の透光箱ケース３０と、内部槽に対応して設けられ、高さが内部槽よりも低く、パネル面３２に対応して形成され、指定された図案や文字をプリントするために供する表示面４２を含んでいる透光箱ケース３０の内部に設けられる内ケースとを含んでいる。【選択図】図１
0003151755.tif 000002
【実用新案登録請求の範囲】
【請求項１】
二枚貝のように対向して開閉する二つの半箱体を含んでなり、
該半箱体は、内部に形成された内部槽と該内部槽の密封された面であるパネル面とを含んでなる透光性の透光箱ケースと、内部槽に対応して設けられ、高さが内部槽よりも低く、該パネル面に対応して形成され、指定された図案や文字をプリントするために供する表示面を含んでなる該透光箱ケースの内部に設けられる内ケースとを含んでなることを特徴とするスーツケース。
【請求項２】
前記透光箱ケースが、内部にＵ字状の内部槽を形成し、内ケースが対応してＵ字状に形成されることを特徴とする請求項１に記載のスーツケース。
【請求項３】
前記透光箱ケースの内部槽が、突出した当接部を具えてなり、内ケースの上部端縁部を当接部で当接するために供することを特徴とする請求項1に記載のスーツケース。
【請求項４】
前記透光箱ケースの防水部が、内側端縁部に滑動自在の垂直チップを具えてなり、内ケースを位置決めすることを補助するために供することを特徴とする請求項１に記載のスーツケース。
【考案の詳細な説明】
【技術分野】
【０００１】
この考案は、旅行用バッグに関し、特に旅行などの移動において内部に洋服や様々な品物を入れて携帯、移動するスーツケースに関する。
【背景技術】
【０００２】
短期の旅行や、商談などビジネス関係の出張ではいずれも、逆Ｕ字型のハンドルと、底部に設けられたタイヤとを具えたスーツケースが衣類や必需品を入れるために使用されている。
【０００３】
上述のスーツケースはタイヤが設けられているため、移動に便利で、また、出し入れ可能なハンドルを具えているため、スーツケースを持ち運ぶ場合に無駄な労力がかからない。
【０００４】
よって、該スーツケースは幅広く使用されている。
【０００５】
該スーツケースの構造はプラスチックからなり、プラスチック材料で製造するため、すばやく、低コストで、重量が軽いため、市場でも高いシェアを占めている。
【０００６】
しかしながら、プラスチック材料から形成した箱体は、滑り止めの性質と美観を具えるため、箱体の表面には様々な皺が形成される。
【０００７】
このため、箱体の表面に図案をプリントし難く、失敗し易いか、或いは外力を接触させて摩擦を加えるため、磨耗し易くなる。
【０００８】
また、外観も好ましくなく、プリントが失敗した場合、箱体は廃棄されることになるため、無駄が発生する。
【考案の概要】
【考案が解決しようとする課題】
【０００９】
この考案は、箱体に図案などをプリントし易いスーツケースを提供することを課題とする。
【課題を解決するための手段】
【００１０】
そこで、本考案者は従来の技術に見られる欠点に鑑みて鋭意研究を重ねた結果、二枚貝のように対向して開閉する二つの半箱体を含んでなり、半箱体は、内部に形成された内部槽と該内部槽の密封された面であるパネル面とを含んでなる透光性の透光箱ケースと、内部槽に対応して設けられ、高さが内部槽よりも低く、該パネル面に対応して形成され、指定された図案や文字をプリントするために供する表示面を含んでなる該透光箱ケースの内部に設けられる内ケースとを含んでなる構造からなるスーツケースによって課題を解決できる点に着眼し、かかる知見に基づいて本考案を完成させた。
【００１１】
以下、この考案について具体的に説明する。
請求項１に記載のスーツケースは、二枚貝のように対向して開閉する二つの半箱体を含んでなり、
該半箱体は、内部に形成された内部槽と該内部槽の密封された面であるパネル面とを含んでなる透光性の透光箱ケースと、内部槽に対応して設けられ、高さが内部槽よりも低く、該パネル面に対応して形成され、指定された図案や文字をプリントするために供する表示面を含んでなる該透光箱ケースの内部に設けられる内ケースとを含んでなる。
【００１２】
請求項２に記載のスーツケースは、請求項１における透光箱ケースが、内部にＵ字状の内部槽を形成し、内ケースが対応してＵ字状に形成される。
【００１３】
請求項３に記載のスーツケースは、請求項１における透光箱ケースの内部槽が、突出した当接部を具えてなり、内ケースの上部端縁部を当接部で当接するために供する。
【００１４】
請求項４に記載のスーツケースは、  請求項１における透光箱ケースの防水部が、内側端縁部に滑動自在の垂直チップを具えてなり、内ケースを位置決めすることを補助するために供する。
【考案の効果】
【００１５】
この考案によるスーツケースは、他者のスーツケースと容易にすばやく識別できて便利で、美観も多様化させることができるという効果を有する。
【図面の簡単な説明】
【００１６】
【図１】この考案のスーツケースを示した斜視図である。
【図２】この考案のスーツケースの半箱体を示した分解図である。
【図３】この考案のスーツケースを示した断面図である。
【図４】この考案のスーツケースを別の角度から見た状態を示した斜視図である。
【図５】この考案のスーツケースの他の実施形態を示した部分拡大図である。
【考案を実施するための最良の形態】
【００１７】
この考案は箱体に図案などをプリントし易いスーツケースであって、二枚貝のように対向して開閉する二つの半箱体を含んでなり、半箱体は、内部に形成された内部槽と該内部槽の密封された面であるパネル面とを含んでなる透光性の透光箱ケースと、内部槽に対応して設けられ、高さが内部槽よりも低く、該パネル面に対応して形成され、指定された図案や文字をプリントするために供する表示面を含んでなる該透光箱ケースの内部に設けられる内ケースとを含んでなるスーツケースの構造と特徴を詳述するために具体的な実施例を挙げ、図示を参照にして以下に説明する。
【実施例】
【００１８】
図１に開示するように、スーツケース１０は、対称に近い輪郭を具え、二枚貝のように二つの対向する半箱体２０、２１を含んでなる。
【００１９】
該二つの半箱体２０、２１の間の底部側面は接続され、外周側面に設けられたファスナー１３で開閉自在に接続される。
【００２０】
該半箱体２１は、スーツケース１０を引いて移動するために便利なハンドルユニット１１が設けられる。
【００２１】
該スーツケース１０の半箱体２１の底端側面には回動自在なタイヤユニット１２が設けられる。
【００２２】
この考案のスーツケースの箱体が層状の構造を具えてなる。
【００２３】
図１から図３に開示するように、この考案のスーツケースの半箱体２０、２１は層状の構造を具えて対向に設けられる。
【００２４】
該半箱体２０、２１は、外観だけが異なるため、この考案の実施形態では半箱体２０を例として説明する。
【００２５】
該半箱体２０は、透光性を具えた透光箱ケース３０と、硬質で比較的薄く、図案がプリントされた内ケース４０とを含んでなる。
【００２６】
透光箱ケース３０は、内部にＵ字状の内部槽３１を形成し、該内部槽３１は密封された大きな表面を具え、該表面がパネル面３２を形成する。
【００２７】
該内ケース４０の形態は内部槽３１に対応して押し圧接触するため、Ｕ字状に対応する形状に形成する。
【００２８】
前述の内ケース４０の両側の高さは、内部槽３１よりも低く、パネル面３２に対応する密封された面が表示面４２を形成する。
【００２９】
内ケース４０の表示面４２上に指定された図案、文字をプリントして、該表示面４２をパネル面３２と緊密に貼着させると、パネル面３２が透光性を具えているため、表示面３２の透光性で表示面４２の図案や文字が外側から見えるように表示される。
【００３０】
同様に、他方の半箱体２１も透光箱ケース３０１と、内ケース４０１とを含んでなる。
【００３１】
図４に開示するように、半箱体２１は、内ケース４０１にプリントする図案が図１の半箱体２０と異なるため、二つの面で異なる図案を具えたスーツケース１０を形成することができる。
【００３２】
よって、この考案のスーツケース１０は、他者のスーツケースと非常に識別し易いだけでなく、多様性も具えている。
【００３３】
また、表示面４２の図案は透光箱ケース３０に保護されているため、汚れや磨耗などを受け難く、長期に渡って好ましい状態を保つことができる。
【００３４】
図１、図３は、内ケース４０と透光箱ケース３０とを位置決めする状態を示したものである。
【００３５】
図面によれば、スーツケース１０の二つの半箱体２０、２１はもともといずれも対向する端縁部に防水部１４を具えてなる。
【００３６】
該防水部１４は、透光箱ケース３０に進入して縫い線を形成する。隣接する縫い線の自由端には垂直チップ１４１が設けられ、透光箱ケース３０の内側には隙間である溝１４３が形成される。
【００３７】
該垂直チップ１４１が内ケース４０の内側端縁部を被覆して内ケース４０の位置決めを補助する。
【００３８】
また、図５に開示するように、透光箱ケース３０を成形する場合、内部槽３１に突出した当接部３４を形成する。
【００３９】
該当接部３４は環状に突出するか、或いは間隔を置いて部分的に環状に突出して形成してもよい。
【００４０】
微小な力で内ケース４０が透光箱ケース３０の内部槽３１に貼着すると、内ケース４０の上部端縁部が当接部３４に当接されて、内ケース４０が透光箱ケース３０に緊密に貼着した状態に位置決めされる。
【００４１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【符号の説明】
【００４２】
１０          スーツケース
１１          ハンドルユニット
１２          タイヤユニット
１３          ファスナー
１４          防水部
１４１        垂直チップ
１４３        溝
２０、２１    半箱体
３０、３０１  透光箱ケース
３１          内部槽
３２          パネル面
３４          当接部
４０、４０１  内ケース
４２          表示面
【図１】
0003151755.tif 000003
【図２】
0003151755.tif 000004
【図３】
0003151755.tif 000005
【図４】
0003151755.tif 000006
【図５】
0003151755.tif 000007